(57)【要約】【課題】遊び感覚で密閉型のサンドイッチを作ることができるとともに、作業後の清掃も容易に行えるようにし、年少者にも取り扱いが優しいパン成型玩具を提供すること。【解決手段】２枚の食パンａを重ねて載置するトレイ２には、所定の形状の抜き型３が着脱可能に配置され、上記抜き型３は中央に開口部４０が形成され、該開口部４０の外側には成型枠４１が周設され、該成型枠４１の端面の外周側には切断部４１ａが、内周側には押圧部４１ｂが形成され、上記トレイ２の前端にトレイ２上に載せた食パンａの一部を押さえる、押さえ板３３を回動可能に設け、上記玩具本体には、上記トレイ２を玩具本体の入口から出口まで搬送する搬送機構Ａが設けられ、該搬送機構Ａは上記トレイ２上の食パンａをトレイ２の搬送中に上記抜き型３に押し付ける押し付け部材１５を備えた【選択図】図１
2006006446.tif 000002
【特許請求の範囲】
【請求項１】
重ねた２枚の食パンを所定の形に打ち抜いて密閉型のサンドイッチを作る以下の要件を備えることを特徴とする、パン成型玩具。
（イ）２枚の食パンを重ねて載置するトレイには、所定の形状の抜き型が着脱可能に配置されていること
（ロ）上記抜き型は中央に開口部が形成され、該開口部の外側には成型枠が周設され、該成型枠の端面の外周側には切断部が、内周側には押圧部が形成されていること
（ハ）上記トレイの前端にトレイ上に載せた食パンの一部を押さえる、押さえ板を回動可能に設けたこと
（ニ）上記玩具本体には、上記トレイを玩具本体の入口から出口まで搬送する搬送機構が設けられ、該搬送機構は上記トレイ上の食パンを、トレイの搬送中に上記抜き型に押し付ける押し付け部材を備えたこと
【請求項２】
前記押し付け部材はローラーで構成され、前記搬送機構は前記トレイを搬送しないときにはローラーを入口に送り出すようにした、請求項１記載のパン成型玩具。
【請求項３】
前記玩具本体は前記トレイを出口まで搬送したとき、成型終了を知らせる効果音を出力する効果音発生装置を備えた、請求項１又は２記載のパン成型玩具。
【発明の詳細な説明】
【技術分野】
【０００１】
本発明は、パン成型玩具、詳しくは重ねた２枚の食パンを所定の形に打ち抜いて密閉型のサンドイッチを作るパン成型玩具に関するものである。
【背景技術】
【０００２】
従来、成型型枠を用いて密閉型のサンドイッチを作る方法が提案されている（例えば、特許文献１）。
【０００３】
この成型型枠は、従来必要とされていた下枠を不要とし、単独の型枠のみで密閉型のサンドイッチができるようにしたもので、型枠の外周壁に段部と先鋭歯部とを形成し、基板上に重ねて載置した２枚の食パンの上からこの型枠を押し付け、先鋭歯部で周囲を切断するとともに段部で食パンを基板に押し付け、型抜きした食パンの周囲を密着させて密封型のサンドイッチを作れるようにしたものである。
【特許文献１】実公昭６１−５２３０号公報
【発明の開示】
【発明が解決しようとする課題】
【０００４】
本発明が解決しようとする問題点は、上述の型枠を用いて密閉型のサンドイッチを作る場合、型枠を手で押し切るようにした為、抜き型で手を怪我をする恐れがあり、大人がサンドイッチを作る場合は問題はないが年少者が遊び感覚で密閉型のサンドイッチを作る際には注意を払わなければならない点であった。
【０００５】
本発明は、上記問題点を解決し、遊び感覚で密閉型のサンドイッチを作ることができるとともに、作業後の清掃も容易に行えるようにし、年少者にも取り扱いが可能になるパン成型玩具を提供することを課題とする。
【課題を解決するための手段】
【０００６】
前記課題を解決するために本発明に係るパン成型玩具は、重ねた２枚の食パンを所定の形に打ち抜いて密閉型のサンドイッチを作る以下の要件を備えることを特徴とする。
（イ）２枚の食パンを重ねて載置するトレイには、所定の形状の抜き型が着脱可能に配置されていること
（ロ）上記抜き型は中央に開口部が形成され、該開口部の外側には成型枠が周設され、該成型枠の端面の外周側には切断部が、内周側には押圧部が形成されていること
（ハ）上記トレイの前端にトレイ上に載せた食パンの一部を押さえる、押さえ板を回動可能に設けたこと
（ニ）上記玩具本体には、上記トレイを玩具本体の入口から出口まで搬送する搬送機構が設けられ、該搬送機構は上記トレイ上の食パンを、トレイの搬送中に上記抜き型に押し付ける押し付け部材を備えたこと
【０００７】
なお、前記押し付け部材はローラーで構成され、前記送り機構が前記トレイを送らないときにはローラーを入口に送り出すようにし、ローラーを玩具本体から取り出すことができるようにすることが好ましい。
【０００８】
また、前記玩具本体は前記トレイを出口まで搬送したとき、成型終了を知らせる信号音を出力するようにしてもよい。
【発明の効果】
【０００９】
請求項１の発明によれば、トレイに配置する抜き型は着脱可能なのでお気に入りの抜き型を選んで密閉型のサンドイッチを作ることができる。しかもトレイには押さえ板を設けたので、２枚の重ねた食パンも円滑に玩具本体に差し込むことができ、搬送機構を作動させることにより年少者にも簡単に密閉型のサンドイッチを作ることができる。そして、型抜きされたサンドイッチは抜き型の開口部の下側から手で押し上げることによりサンドイッチに傷をつけることなく簡単に抜き型から取り出すことができ、年少者にも取り扱いが容易なパン成型玩具を提供することができる。
【００１０】
請求項２の発明によれば、搬送機構がトレイを搬送しないときには、ローラーを出口に送り出すことができるので、ローラーの取り外しが可能になり、使用後のローラーの清掃を容易に行うことができる。
【００１１】
請求項３の発明によれば、あたかも電子レンジが調理を終了したときに使用者に終了を知らせるベル音を出力するように効果音を出力するようにしたので、視覚的には成型が終了していることが判っても聴覚的に成型の終了を知らせるので調理の楽しさを実感することができる。
【発明を実施するための最良の形態】
【００１２】
重ねた２枚の食パンを所定の形に打ち抜いて密閉型のサンドイッチを作るパン成型玩具であって、２枚の食パンを重ねて載置するトレイには、所定の形状の抜き型を着脱可能に配置し、該抜き型の中央には開口部を形成するとともに、該開口部の外側には成型枠を周設し、この成型枠の端面の外周側には切断部が、内周側には押圧部を形成し、上記トレイの先端にはトレイ上の食パンを抑える、押さえ板を回動可能に設け、玩具本体には、上記トレイを入口から出口まで搬送する搬送機構を設け、この搬送機構は上記トレイ上の食パンを、上記抜き型に押し付ける押し付け部材を備えた。
【実施例１】
【００１３】
図１は、本発明に係るパン成型玩具の構成を示す斜視図で、このパン成型玩具は、玩具本体１とトレイ２と抜き型３とから構成されている。
【００１４】
玩具本体1は、前ケース１ａと後ケース１ｂとをネジで連結固定したもので、上部に形成された入口となる挿入口５にトレイ２を差し込み、ハンドル４を回すと、トレイ２は玩具本体１内に引き込まれ、下部の出口となる排出口６まで搬送する搬送機構Ａを備えたものである。
【００１５】
この搬送機構Ａはハンドル４の軸に固定された駆動歯車１０と、この駆動歯車１０に噛み合うとともに、後述するローラー１５の歯車１７に噛み合う中間歯車１１とで構成され、ハンドルを反時計方向に回転させると、ローラー１５を反時計方向に回転させることができるようになっている（図４（ｂ）参照）。
【００１６】
そして、挿入口５の両側部には上記中間歯車１１の軸１２と同心円上に形成された円弧状のガイド溝１３の始端が開口し、このガイド溝１３の開口部１３ａにローラー１５の軸部１６をあてがうと、ローラー１５の歯車１７は中間歯車１１に噛み合うので、ハンドル４を手前から奥側に向かって回転するとローラー１５はガイド溝１３に沿って下降し、ガイド溝１３の終端に到達するようになっている。このガイド溝１３は、図３に示すように、前ケース１ａの挿入口５の両側に円弧状に切り欠かれた壁１４ａの端面と、後ケース１ｂの挿入口５の両側に形成された円弧状の壁１４ｂの端面とで形成されたもので、幅がローラー１５の軸１６の直径よりもやや広い程度の溝を形成している。
【００１７】
前ケース１ａの下部は前面が開口し、この開口部６には斜めにスロープ１８が形成されている。このスロープ１８の下部には孔１９が形成され、この孔１９からは効果音発生装置であるベル２５を叩くハンマー２０の作動片２１の先端が突出している（図１参照）。このハンマー２０は軸部２２を中心に上下に揺動するように後ケース１ｂに形成された軸受け２３に上記軸部２２が支持され、ハンマー部２４が自重で常にベル２５の下方に位置するように回動している（図４（ａ）参照）。
【００１８】
上記ハンマー２０はトレイ２が搬送装置で出口６近傍まで搬送されると、スロープ１８に沿って落下するようになっており、この際ハンマー２０の作動片２１を押し下げるため、ハンマー２０は軸部２２を中心に上方に回動してベル２５を下から叩き、トレイ２が排出されてパンの成型が終了したことを知らせる効果音（ベル音）を出力するようになっている(図４（ｂ）参照)。
【００１９】
そして、上述したように、後ケース１ｂには上部の挿入口５の両側にガイド溝１３が形成され、縦に２枚のガイド板２６が形成されている。上記ガイド板２６の下部は前方に膨出し、上記ハンマー２０を上下に回動可能に支持する軸受け２３が形成され、２つのガイド板２６の間には支持軸２７が突出形成され、この支持軸２７には効果音発生装置であるベル２５が支持されている。
【００２０】
トレイ２は薄い箱状に形成され、両側部には前端から後端に渡って張り出し片３０が形成されている。この張り出し片３０の上面には上述のローラー１５の歯車１７に噛み合うラックギヤ３１が連続して形成され、内部の四隅には抜き型３の位置決め用の係合凸部３２が形成され、前端にはトレイ２上に載せた食パンの一部を押さえる押さえ板３３が回動可能に配置されている。この押さえ板３３は、食パンを載せたトレイ２を玩具本体1の挿入口５から挿入する際、食パンが挿入口５内に円滑に案内されるようにするためのものである。
【００２１】
さらに、上記押さえ板３３の裏面には係合筒部３４が突出形成されている。この係合筒部３４は抜き型３の上面に突出形成された係合軸４３に係合し、係合時には、食パンを抜き型３（トレイ２）上に固定する機能も備えている（図５（ａ）、（ｂ）参照）。
【００２２】
抜き型３は中央が所定の形状に開口した方形状の板部材で構成され、この開口部４０の外側には所定間隔をおいて成型枠４１が周設されている。この成型枠４１は食パンを型抜きする際に、どのような形状に型抜きするかを選ぶことができるように、ハートの輪郭や、動物の顔の輪郭など様々な形状のものが用意されていればよい。さらに、抜き型３の四隅には係合孔４２が形成され、前端側の係合孔４２の内側には上述した係合筒部３４に係合する係合軸４３が突出して形成されている。そして、上記成型枠４１の端面の外周側には切断部４１ａが、内周側には押圧部４１ｂが形成されている（図５（ａ）参照）。
【００２３】
次に、上記構成の成型玩具を用いて密封型のサンドイッチを作る場合を説明する。
【００２４】
先ず、トレイ２上に抜き型３をセットする。この際、抜き型３の係合孔４２をトレイ２の係合凸部３２に係合させて位置決めをしたら、薄くスライスした食パンａをほぼ抜き型３の大きさに切ってトレイ２上に載せ、ジャムやクリームなどの具材ｂを載せた後、さらに同形の食パンａを重ねる（図６（ａ）参照）。
【００２５】
そして、図４（ａ）に示すように、押さえ板３３板を倒して食パンａの前部を押さえ、トレイ２を玩具本体１の挿入口５にラックギヤ３１が中間歯車１１に噛み合うまで差し込み、ハンドル４を手前から奥側に向かって（矢印ｄ１方向）回転させる。ハンドル４を回転させると、駆動歯車１０、中間歯車１１が回転するので、中間歯車１１にラックギヤ３１が噛み込んでいるトレイ２が玩具本体１内に引き込まれる。この時、図６（ｂ）に示すように、ローラー１５が抜き型３の成型枠４１に圧接するので、食パンａを抜き型３の底部に押し付けるとともに成型枠４１の押圧部４１ｂで２枚の食パンａを圧着し、切断部４１ａで食パンａを成型枠４１の形に切断する。
【００２６】
ハンドル４をさらに回転させると、ラックギヤ３１とローラー１５の歯車１７との噛み合いが外れ、トレイ２は自重で落下することになる。落下するトレイ２は、図４（ｃ）に示すように、ハンマー２０の係合片２１を押し下げながらスロープ１８に沿って前方に排出されるのでハンマー２０は軸部２２を中心に回動し、ハンマー部２４がベル２５を下から叩くのでベル音が発生するようになっている。
【００２７】
玩具本体１の排出口６から排出された、トレイ２から抜き型３を外し、図６（ｃ）に示すように、抜き型３の中央に形成された開口部４０の下側から手で押し上げるようにして抜き型３に押し込められた状態のサンドイッチｃを押し出せばよい。
【００２８】
押し出されたサンドイッチｃは抜き型３の成型枠４１と同一形状（例えば、ハート型や動物の顔等）に切り取られ、周囲は押圧部４１ｂで圧着されて内部に具材ｂが閉じ込められた密閉型のサンドイッチを成型することができる。
【００２９】
繰り返し、サンドイッチを作るとトレイ２、抜き型３はパンの屑が付着するのでトレイ２と抜き型３とはそれぞれ洗えばよい。一方、食パンａを抜き型３に押し付けるローラー１５もパン屑が付着するので、図７に示すように、トレイ２を挿入口５にセットせずにハンドル４を矢印ｄ１方向に回して中間歯車１１を矢印ｄ２方向に回転させ、ローラー１５を空転させる。ローラー１５の軸部１６は中間歯車１１の軸１２と同心円上に形成された円弧状のガイド溝１３に支持されているので、中間歯車１１が矢印ｄ２方向に回転するとローラー１５の歯車１７は遊星ギヤと同様の作用でガイド溝１３に沿って挿入口５の近傍まで上昇することになるので、挿入口５からローラー１５を容易に取り出すことができ、取り出したローラー１５を洗浄することができるので、常に清掃された清潔なパン成型玩具を実現することができる。
【図面の簡単な説明】
【００３０】
【図１】本発明に係るパン成型玩具の構成を説明する斜視図
【図２】玩具本体の構成を説明する分解斜視図
【図３】ローラーを支持するガイド溝の説明図
【図４】（ａ）〜（ｃ）はサンドイッチの成型工程の説明図
【図５】（ａ）（ｂ）はトレイ及び抜き型の縦断面図
【図６】（ａ）〜（ｃ）はサンドイッチの成型工程における抜き型と食パンの関係を説明する要部断面図
【図７】玩具本体からローラーを取り出す際の操作を説明する玩具本体の要部断面図
【符号の説明】
【００３１】
１    玩具本体
２    トレイ
３    抜き型
１５    押し付け部材
２５    効果音発生装置（ベル）
３３    押さえ板
４０    開口部
４１    成型枠
Ａ    搬送機構
ａ    食パン
【図１】
2006006446.tif 000003
【図２】
2006006446.tif 000004
【図３】
2006006446.tif 000005
【図４】
2006006446.tif 000006
【図５】
2006006446.tif 000007
【図６】
2006006446.tif 000008
【図７】
2006006446.tif 000009